【事件の表示】
　特願２００１−３０８９２９「プロジェクタの光学系の変更に応じた画像処理」拒絶査定不服審判事件〔平成１５年　４月１８日出願公開、特開２００３−１１４４８０〕について、次のとおり審決する。
【結　論】
　本件審判の請求は、成り立たない。
【理　由】
１．手続の経緯
　本願は、平成１３年１０月４日の出願であって、平成１７年８月１１日付けで拒絶査定がなされ、これに対し平成１７年９月２２日に拒絶査定不服の審判の請求がなされたものである。
　
２．本願発明
　本願の請求項１に係る発明（以下、「本願発明」という。）は、平成１７年７月１１日付け手続補正により補正された明細書の特許請求の範囲の請求項１に記載された事項により特定される次のとおりのものである。　
　
「画像を投写するプロジェクタであって、
　入力された原画像データに対して画像処理を施す画像処理部と、
　前記画像処理が施された画像データに基づいて画像を形成する画像形成部と、
　所定の原色に分離され、所定の発光スペクトルを有する照明光を用いて、前記画像形成部に形成された画像を投写する投写光学系と、
　前記投写光学系に着脱可能であって、前記照明光の発光スペクトルのうちで前記画像の投写に供する原色の少なくとも一つの原色に対応する波長領域のスペクトル強度を弱めるための光学フィルタと、を備え、
　前記画像処理部は、前記光学フィルタの着脱に伴う前記スペクトル強度の変化を考慮した画像処理を施す、プロジェクタ。」
　
３．引用例
（１）原査定の拒絶の理由に引用された、本願の出願前である平成１２年１２月１５日に頒布された特開２０００−３４７２９２号公報（以下、「引用例１」という。）には、次の事項が記載されている。
　
（ア）【０００１】
【発明の属する技術分野】本発明は、表示装置特に静止画像や動画（ビデオ画像）の大画面表示等に使用される投射型表示装置に関するものである。
　
（イ）【００１１】
【発明が解決しようとする課題】ところで、前述特許公開公報に示されている投射型表示装置では、ダイクロイックフィルタの挿脱にかかわりなく一定の制御形式で画像表示素子を制御しているので、明るさ優先の表示（ダイクロイックフィルタ無し）の場合、カラー画像における色再現が不自然でかなり画質が低下していた。
　　　【００１２】
　本発明は、従来よりも画質の低下が小さい表示装置を提供することを目的とする。
　
（ウ）【００２４】
【発明の実施の形態】〈実施例１〉図１に本発明による投射型表示装置の第１の実施例の光学配置図を示す。図１において、１は白色光源、２はリフレクター、３は第１のフライアイレンズ、４は第２のフライアイレンズ、５は複数の偏光分離膜５ａと複数の反射面５ｂと複数の波長板５ｃからなる偏光変換素子アレイで、６は集光レンズ、ＤＭ１，ＤＭ２はダイクロイックミラーで、ＳＣ１は挿脱可能な色選択光学素子で、ＤＦ１はダイクロイックフィルター、７Ｒ，７Ｇ，７Ｂはそれぞれフィールドレンズで、８Ｒ，８Ｇ，８Ｂはぞれぞれ赤色（Ｒ）画像用、緑色（Ｇ）画像用、青色（Ｂ）画像用の公知の画像表示素子で、ＤＰはダイクロイックプリズムで、１１は投射レンズである。
　　　【００２５】
　ここで、光学素子ＳＣ１は赤色の光の光路に対して挿脱可能に配置されているところの、ダイクロイックフィルタ（干渉膜）又は色フィルタ（光吸収膜）を備える素子である。またフライアイレンズ３、４は２次元的にレンズを並べたレンズアレイである。
　
（エ）【００２７】
　図１の光学系の作用を説明する。光源１から射出した白色光は、リフレクター２によって反射及び集光されて平行光に成って、フライアイレンズ３、４、偏光変換素子アレイ５、集光レンズ６を通過した後、ダイクロイックミラーＤＭ１，ＤＭ２によりＲ，Ｇ，Ｂの三色光に分離され、フィールドレンス７Ｒ，７Ｇ，７Ｂを通過し、画像表示素子８Ｒ，８Ｇ，８Ｂを透過し、ダイクロイックプリズムＤＰによりＲ，Ｇ，Ｂの各色光がひとつに合成され、合成された三つの色光（画像）が投射レンズ１１によりスクリーン（不図示）や壁（不図示）に拡大に投射され、そこに拡大されたフルカラー画像が形成される。
　　　【００２８】
　ここで、光源１は従来例と同様に図５に示す分光特性を有し、光源１からの白色光はダイクロイックミラーＤＭ１により５０５ｎｍの波長を境に青（Ｂ）の色光成分とそれ以外の色光成分に分離され、青色光はフィールドレンズ７Ｂを経て画像表示素子８Ｂに導かれる。ダイクロイックミラーＤＭ１で反射された色光成分はダイクロイックミラーＤＭ２により５７０ｎｍの波長を境に緑の色光とそれ以外の色光に分離され、緑色光はフィールドレンズ７Ｇ、ダイクロイックフィルターＤＦ１を経て画像表示素子８Ｇに導かれる。ダイクロイックフィルターＤＦ１は、ダイクロイックミラーＤＭ２の色分離に係る入射角依存性による光強度ムラを補正して画像表示素子８Ｇ上での光強度分布が均一になるように、一部の波長成分を除去するように図３のような分光特性をしている。ダイクロイックミラーＤＭ２を透過した色光はコンデンサーレンズ９、ミラーＭ２、リレーレンズ１０、ミラーＭ３を経て色選択光学系素子ＳＣ１に入射する。この素子ＳＣ１の分光透過率は、図４に示すように、６００ｎｍより長い波長を透過し、それより短い波長を遮断する特性を有する。そのため色選択光学素子ＳＣ１が光路中に存在して色純度が高い場合は、赤の波長領域が６００ｎｍ以上となり、色選択光学素子ＳＣ１が光路外に存在して色純度が低い場合には赤の波長領域は５７０ｎｍ以上となる。図６（ａ）に色選択光学素子ＳＣ１が光路中にある場合の、図６（ｂ）に色選択光学素子ＳＣ１が光路外にある場合のダイクロイックプリズムＤＰで色合成した後の光の分光分布を示す。ここで色選択光学素子ＳＣ１は、６００ｎｍ以上の波長を透過し６００ｎｍ以下の波長を反射するダイクロイックフィルターでもいいし、６００ｎｍ以上の波長を透過し６００ｎｍ以下の波長を吸収するカラーフィルターでもいいし、ダイクロイックフィルターとカラーフィルターとを組み合わせた構成でもよい。また、色選択光学素子ＳＣ１を挿脱する位置は、ダイクロイックミラーＤＭ２から画像表示素子８Ｒの間や素子８ＲとプリズムＤＰの間であれば、同様な効果が得られる。
　　　【００２９】
　ダイクロイックフィルターは、バンドパスフィルターとエッジフィルターのどちらでも構わない。
　
（オ）【００３０】
　図７に、第１の実施例における色選択光学素子ＳＣ１の保持構造の一例を示す。図７の例によると色選択光学素子ＳＣ１はスライド可能なガイド１２に固定されており、利用者が装置の外部からツマミ１３をスライドさせることにより、色選択光学素子ＳＣ１の光路への挿脱を可能としている。さらにスイッチ１４を設け色選択光学素子ＳＣ１が光路中にあるか否かを電気的に検出できるようにしてある。別の構成として色選択光学素子ＳＣ１はスライド可能なガイド１２に固定しておりアクチュエーター（不図示）により色選択光学素子ＳＣ１をガイドと一緒に移動可能とし、利用者が電気的なスイッチの切り替えにより色選択光学素子の光路への挿脱を可能とし、電気的なスイッチの状態（ＯＮかＯＦＦ）を検知することで色選択光学素子ＳＣ１が光路中にあるか否かを電気的に検出できるようにしてもよい。また、図８のように色選択光学素子ＳＣ１を保持した部材１５をその一端を回転中心として回転可能な構造とし、利用者がツマミ１６などにより回転軸１７を回転させることで色選択光学素子ＳＣ１を移動させて光路への挿脱を可能とし、例えばツマミ１６の位置を検出する検出器を設けることにより素子ＳＣ１の光路中の有無を検出するような構成でもよい。
　
（カ）【００３１】
　図９に第１の実施例における画像表示素子で画像を表示する制御回路の構成図を示す。図９に示すようにこの制御回路は、外部から入力されるＲ，Ｇ，Ｂの画像信号に基づきＲ，Ｇ，Ｂの各画像表示素子を駆動するための駆動信号を生成する駆動信号回路２１と、前記色選択光学素子ＳＣ１が光路中にあるか否かを検出し検出信号を生成する検出回路２２とからなり、検出回路２２からの検出信号に基づき、回路２１は色選択光学素子ＳＣ１が光路中にあるときは、Ｒ，Ｇ，Ｂの画像信号によりＲ，Ｇ，Ｂの画像表示素子をそれぞれ駆動するように通常の駆動信号を生成し、色選択光学素子ＳＣ１が光路外にあるときは、通常の駆動信号とは異なっているところの、赤の単色を表示するときに青の光が所定の量加わるような駆動信号を生成する。このときの色再現を図１０，１１，１２を用いて説明する。色選択光学素子ＳＣ１が光路内にあるときは図１０に示す三角形（Ｒ１，Ｇ１，Ｂ１）の領域が色再現領域となりＲ，Ｇ，Ｂの各単色において純度の高い色再現が可能となり、色再現性を優先させた画像表示を行える。画像表示で明るさを優先させるべく色選択光学系素子ＳＣ１を光路外にすると５７０ｎｍ〜６００ｎｍの光がＲの光路に付加されるので、色再現領域は図１１中に矢印で示すように赤の再現領域が緑の方向にずれた三角形（Ｒ２，Ｇ１，Ｂ１）となるが、このとき赤の色の表示において赤の色光に青の色光を加えるように赤と緑の各表示素子を駆動制御すれば、図１１に示した赤の再現領域Ｒ２が青の方向にずれ、図１２に示すような三角形（Ｒ３，Ｇ１，Ｂ１）となる。このように色の再現領域を青側にずらすことにより５７０ｎｍ〜６００ｎｍの光を加えて明るさを優先させた画像表示においても従来より自然な色再現が可能となる。本実施例では色選択光学素子ＳＣ１で選択可能な波長範囲を５７０ｎｍ〜６００ｎｍとしているが、純度を切換えるのに使う波長範囲はこれに限られるものではなく、純度を可変とする色が赤や緑であれば、色再現性を優先させる画像表示におけるＲとＧの色再現の設定状況により決定すればよく、短波長側は５５０ｎｍから５８５ｎｍの範囲で、長波長側は５９０ｎｍから６１０ｎｍの範囲で選択すればよい。
　
（２）これらの記載により、引用例１には、
「画像を表示する投射型表示装置であって、
　外部から入力される画像信号に基づき駆動信号を生成する制御回路と、
　前記駆動信号により駆動される画像表示素子８Ｒ、８Ｇ、８Ｂと、
　白色光源１から射出した白色光を、Ｒ、Ｇ、Ｂの三色光に分離し、前記画像表示素子８Ｒ、８Ｇ、８Ｂを透過させ、スクリーンに拡大投射させる光学系と、
　光路へ挿脱可能とされ、６００ｎｍより長い波長を透過し、それより短い波長を遮断する特性を有し、赤色光の光路中に配置された色選択光学素子ＳＣ１と、を備え、
　前記制御回路は、前記色選択光学素子ＳＣ１が光路中にあるか否かを検出する検出信号に基づき、色選択光学素子ＳＣ１が光路中にあるときは、通常の駆動信号により前記画像表示素子８Ｒ、８Ｇ、８Ｂを駆動し、色選択光学素子ＳＣ１が光路外にあるときは、通常の駆動信号とは異なる駆動信号により前記画像表示素子８Ｒ、８Ｇ、８Ｂを駆動する、投射型表示装置」
　の発明（以下、「引用発明」という。）が開示されている。
　
４．対比
（１）そこで、本願発明と引用発明とを対比する。
（ア）引用発明の「画像を表示する投射型表示装置」は、本願発明の「画像を投写するプロジェクタ」に相当する。
　
（イ）引用発明の「白色光源１から射出した白色光を、Ｒ、Ｇ、Ｂの三色光に分離し、画像表示素子８Ｒ、８Ｇ、８Ｂを透過させ、スクリーンに拡大投射させる光学系」という文言は、同文言中の「白色光」、「Ｒ、Ｇ、Ｂの三色光に分離し」、「画像表示素子８Ｒ、８Ｇ、８Ｂを透過させ、スクリーンに拡大投射させる」が、本願発明の「所定の発光スペクトルを有する照明光」、「所定の原色に分離され」、「画像形成部に形成された画像を投写する」とそれぞれ同義であることから、本願発明の「所定の原色に分離され、所定の発光スペクトルを有する照明光を用いて、前記画像形成部に形成された画像を投写する投写光学系」に相当する。
　
（ウ）引用発明の「色選択光学素子ＳＣ１」は、本願発明の「光学フィルタ」に対応するものであり、引用発明の「光路へ挿脱可能とされる」は、本願発明の「前記投写光学系に着脱可能である」に相当する。
　また、引用発明の「色選択光学素子ＳＣ１」は、「６００ｎｍより長い波長を透過し、それより短い波長を遮断する特性を有する」ものであるが、これは、引用発明の光学系において、ダイクロイックミラーＤＭ２で分離された５７０ｎｍ以上の波長の赤色光のうち５７０ｎｍから６００ｎｍの波長領域を遮断するものであることから、前記「色選択光学素子ＳＣ１」は、本願発明の「光学フィルタ」と同様に、「照明光の発光スペクトルのうちで前記画像の投写に供する原色の少なくとも一つの原色に対応する波長領域のスペクトル強度を弱める」機能を有しているといえる。
　したがって、引用発明の「光路へ挿脱可能とされ、６００ｎｍより長い波長を透過し、それより短い波長を遮断する特性を有する色選択光学素子ＳＣ１」は、本願発明の「前記投写光学系に着脱可能であって、前記照明光の発光スペクトルのうちで前記画像の投写に供する原色の少なくとも一つの原色に対応する波長領域のスペクトル強度を弱めるための光学フィルタ」に相当する。
　
（エ）引用発明の「制御回路」は、本願発明の「画像処理部」に相当し、引用発明の「制御回路に外部から入力される画像信号」は、本願発明の「入力された画像データ」に相当する。
　また、引用発明では、画像信号に基づき生成される駆動信号は、色選択光学素子ＳＣ１が光路中にあるか光路外にあるかによって、異なる信号となるとされていることから、引用発明の「制御回路」は、本願発明の「画像処理部」と同様に、「光学フィルタの着脱に伴うスペクトル強度の変化を考慮した」画像処理を行っているといえる。
　してみれば、引用発明の「外部から入力される画像信号に基づき駆動信号を生成し、前記色選択光学素子ＳＣ１が光路中にあるか否かを検出する検出信号に基づき、色選択光学素子ＳＣ１が光路中にあるときは、通常の駆動信号により前記画像表示素子８Ｒ、８Ｇ、８Ｂを駆動し、色選択光学素子ＳＣ１が光路外にあるときは、通常の駆動信号とは異なる駆動信号により前記画像表示素子８Ｒ、８Ｇ、８Ｂを駆動する制御回路」は、本願発明の「入力された原画像データに対して画像処理を施し、光学フィルタの着脱に伴う前記スペクトル強度の変化を考慮した画像処理を施す、画像処理部」に相当する。
　
（オ）引用発明の「画像表示素子８Ｒ、８Ｇ、８Ｂ」は、本願発明の「画像を形成する画像形成部」に相当する。また、引用発明の画像表示素子８Ｒ、８Ｇ、８Ｂを駆動する「駆動信号」は、画像信号に基づき生成され、色選択光学素子ＳＣ１が光路中にあるか光路外にあるかによって、異なる信号にするとされていることから、本願発明の「画像処理が施された画像データ」に相当する。
　してみれば、引用発明の「前記駆動信号により駆動される画像表示素子８Ｒ、８Ｇ、８Ｂ」は、本願発明の「前記画像処理が施された画像データに基づいて画像を形成する画像形成部」に相当するものである。
　
（２）結局、本願発明のすべての構成に相当する構成を引用発明が具備しているから、本願発明は引用例１に記載された発明である。
　
５．むすび
　以上のとおり、本願発明は、引用例１に記載された発明であるから、特許法第２９条第１項第３号に該当し特許を受けることができない。
　よって、結論のとおり審決する。